(57)【要約】【課題】騒音の増加や送風効率の低下のない小型の送風機を提供する。【解決手段】少なくとも一側面に略円形状の吸込口２ａを備え、前面に略矩形状の吐出口２ｂを備えた渦巻形のケーシング２と、前記吸込口２ａと前記吐出口２ｂとを連通する空気通路に設けた送風ファン１とを備え、前記ケーシング２の幅を、風の流れ方向に沿って前記吸込口２ａから任意位置まで順次拡大し、前記任意位置から前記吐出口２ｂまで略一定とし、前記ケーシング２の巻き始めノーズ部２ｃの両端から前記吐出口２ｂの両端にかけて、前記ケーシング２の幅寸法を徐々に拡大する為の傾斜面２ｄを形成したもので、傾斜面２ｄにより、ケーシング２内での無風領域を低減し、騒音の低減と送風効率の向上させることが可能となる。【選択図】図１
2006152936.tif 000002
【特許請求の範囲】
【請求項１】
少なくとも一側面に略円形状の吸込口を備え、前面に略矩形状の吐出口を備えた渦巻形のケーシングと、前記吸込口と前記吐出口とを連通する空気通路に設けた送風ファンとを備え、前記ケーシングの幅を、風の流れ方向に沿って前記吸込口から任意位置まで順次拡大し、前記任意位置から前記吐出口まで略一定とし、前記ケーシングの巻き始めノーズ部の両端から前記吐出口の両端にかけて、前記ケーシングの幅寸法を徐々に拡大する為の傾斜面を形成したことを特徴とする送風機。
【請求項２】
ケーシングの幅の拡大率を、前記ケーシングの巻き始めノーズ部の両端から吐出口の両端にかけて大きくした請求項１に記載の送風機。
【請求項３】
ケーシングの幅の拡大の開始を前記ケーシングの下部からとした請求項１又は２に記載の送風機。
【発明の詳細な説明】
【技術分野】
【０００１】
本発明は送風機に関し、特に遠心式送風ファンのケーシングおよびインペラにより構成されて空調機などに使用される送風機に関するものである。
【背景技術】
【０００２】
天井吊下型やダクト隠蔽型の空気調和機や各種の換気装置では、遠心式送風ファンの送風機が使用されている（例えば、特許文献１参照）。
【０００３】
上記特許文献１に開示された従来の送風機について、図６、図７を用いて説明する。
【０００４】
一般的なこの種の送風機は、図６に示すように、少なくとも一側面に略円形状の吸込口２ａを備え、前面に略矩形状の吐出口２ｂを備えた渦巻形のケーシング２と、これら吸込口２ａと吐出口２ｂとを結ぶ空気通路に設けた遠心式送風ファン１とからなり、前記ケーシング２の巻き始めノーズ部２ｃの両端から前記吐出口２ｂの両端にかけて、前記吸込口２ａの外周面を順次拡大するように構成されている。
【０００５】
このような構成にすることで、インペラを小型化する事無くケーシング２の小型化が図られている。
【特許文献１】特開平９−２８７７５６号公報
【発明の開示】
【発明が解決しようとする課題】
【０００６】
しかしながら従来の送風機の構成では、図７に示すように、ハッチングＢで示す部分に風が流れず乱れが発生すると共に通風抵抗が増加して、送風機効率の低下及び騒音の増加を招くという課題があった。
【０００７】
本発明は、前記従来の課題を解決するもので、ケーシング内での無風領域を低減し、騒音の低減と送風効率の向上とを図った送風機を提供することを目的とする。
【課題を解決するための手段】
【０００８】
前記従来の課題を解決するために、本発明の送風機は、少なくとも一側面に略円形状の吸込口を備え、前面に略矩形状の吐出口を備えた渦巻形のケーシングと、前記吸込口と前記吐出口とを連通する空気通路に設けた送風ファンとを備え、前記ケーシングの幅を、風の流れ方向に沿って前記吸込口から任意位置まで順次拡大し、前記任意位置から前記吐出口まで略一定とし、前記ケーシングの巻き始めノーズ部の両端から前記吐出口の両端にかけて、前記ケーシングの幅寸法を徐々に拡大する為の傾斜面を形成したもので、傾斜面により、ケーシング内での無風領域を低減し、騒音の低減と送風効率の向上させることが可能となる。
【発明の効果】
【０００９】
本発明の送風機は、騒音の増加や送風効率の低下なく、ケーシングの小型化を達成することができる。
【発明を実施するための最良の形態】
【００１０】
第１の発明は、少なくとも一側面に略円形状の吸込口を備え、前面に略矩形状の吐出口を備えた渦巻形のケーシングと、前記吸込口と前記吐出口とを連通する空気通路に設けた送風ファンとを備え、前記ケーシングの幅を、風の流れ方向に沿って前記吸込口から任意位置まで順次拡大し、前記任意位置から前記吐出口まで略一定とし、前記ケーシングの巻き始めノーズ部の両端から前記吐出口の両端にかけて、前記ケーシングの幅寸法を徐々に拡大する為の傾斜面を形成したもので、傾斜面により、ケーシング内での無風領域を低減し、騒音の低減と送風効率の向上させることが可能となる。
【００１１】
第２の発明は、特に、第１の発明のケーシングの幅の拡大率を、前記ケーシングの巻き始めノーズ部の両端から吐出口の両端にかけて大きくしたもので、ケーシングの巻き始めから徐々に送風ファンからの吹出流が増え前記無風領域が小さくなっていることに対応しさらなる騒音の低減と送風効率を向上させることが可能となる。
【００１２】
第３の発明は、特に、第１又は第２の発明のケーシングの幅の拡大の開始を前記ケーシングの下部からとしたもので、騒音の増加や送風効率の低下なく、ケーシングの更なる小型化が可能となる。
【００１３】
以下、本発明の実施の形態について、図面を参照しながら説明する。なお、この実施の形態により本発明が限定されるものでは無い。
【００１４】
（実施の形態１）
図１は、本発明の第１の実施の形態における送風機の斜視図、図２は、同送風機の要部断面図、図３は、同送風機の側面図及び各部の断面図を示すものである。
【００１５】
図１〜３において、本実施の形態における送風機は、少なくとも一側面に略円形状の吸込口２ａを備え、前面に略矩形状の吐出口２ｂを備えた渦巻形のケーシング２と、これら吸込口２ａと吐出口２ｂとを連通する空気通路には、遠心式の送風ファン１が設けられ、前記ケーシング２の幅を、風の流れ方向に沿って吸込口２ａから任意位置まで順次拡大し、その任意位置から前記吐出口２ｂまで略一定とし、前記ケーシング２の巻き始めノーズ部２ｃの両端から前記吐出口２ｂの両端にかけて、前記ケーシング２の幅寸法を徐々に拡大する為の傾斜面２ｄを形成している。
【００１６】
図３において、各Ａ−Ａ、Ｂ−Ｂ、Ｃ−Ｃ、Ｄ−Ｄ断面でのケーシング２の幅はＬ１＞Ｌ２＞Ｌ３＞Ｌ４となっており、その断面の拡大率を示す角度Θは各断面とも等しくなっている。つまり、Θ１＝Θ２＝Θ３＝Θ４となっている。
【００１７】
上記構成により、ケーシング２内での無風領域を低減し、騒音の低減と送風効率の向上させることが可能となる。
【００１８】
（実施の形態２）
図４（ａ）は、本発明の第２の実施の形態における送風機の側面図、図４（ｂ）は、図４（ａ）のＥ−Ｅ断面図、図４（ｃ）は、図４（ａ）のＦ−Ｆ断面図、図４（ｄ）は、図４（ａ）のＧ−Ｇ断面図、図４（ｅ）は、図４（ａ）のＨ−Ｈ断面図である。
【００１９】
本実施の形態と上記第１の実施の形態とは、各断面での任意位置までの拡大率が、前記ケーシング２の巻き始めのノーズ部２ｃの両端から吐出口２ｂの両端にかけて、大きくなる点が異なっている。その他は上記第１の実施の形態と同様である。
【００２０】
各Ｅ−Ｅ、Ｆ−Ｆ、Ｇ−Ｇ、Ｈ−Ｈ断面でのケーシング２の幅は、Ｌ１＞Ｌ２＞Ｌ３＞Ｌ４となっており、その断面の拡大率を示す角度Θは、Ｅ−Ｅ断面からＨ−Ｈ断面にかけて大きくなっている。つまり、Θ１＜Θ２＜Θ３＜Θ４となっている。
【００２１】
上記構成により、ケーシング２の巻き始めから徐々に送風ファン１からの吹出流が増え無風領域が小さくなっていることに対応し、さらなる騒音の低減が図られ、また送風効率を向上させることができる。
【００２２】
（実施の形態３）
図５（ａ）は、本発明の第３の実施の形態における送風機の側面図、図５（ｂ）は、図５（ａ）のＩ−Ｉ断面図、図５（ｃ）は、図５（ａ）のＪ−Ｊ断面図、図５（ｄ）は、図５（ａ）のＫ−Ｋ断面図、図５（ｅ）は、図５（ａ）のＬ−Ｌ断面図である。
【００２３】
本実施の形態と上記第１の実施の形態とは、ケーシング２の幅の拡大の開始を、ケーシング２の下部からとした点が異なり、その他の構成は同様である。
【００２４】
各Ｉ−Ｉ、Ｊ−Ｊ、Ｋ−Ｋ、Ｌ−Ｌ断面でのケーシング２の高さは、巻き始めより下部までは一定で、下部より吐出口２ｂの両端まで徐々に拡大していく。つまり、Ｈ１＞Ｈ２＞Ｈ３＝Ｈ４となっている。
【００２５】
以上のように、従来のケーシングはケーシングの巻き始めノーズ部の両端から前記吐出口の両端にかけて一定の拡大率をもって拡大するが、本実施の形態では、送風機は巻き始めから下部までの比較的送風ファン１からの吹出流が小さい領域でのケーシング領域を減らすことで騒音の増加や送風効率の低下なく、ケーシングのさらなる小型化が可能となる。
【産業上の利用可能性】
【００２６】
以上のように、本発明にかかる送風機は、騒音の低減と送風効率の向上とが可能となるので、遠心式の送風ファンを有する空調機、換気装置など各種機器に適用できる。
【図面の簡単な説明】
【００２７】
【図１】本発明の実施の形態１における送風機の斜視図
【図２】同送風機の要部断面図
【図３】（ａ）同送風機の側面図、（ｂ）図３（ａ）のＡ−Ａ断面図、（ｃ）図３（ａ）のＢ−Ｂ断面図、（ｄ）図３（ａ）のＣ−Ｃ断面図、（ｅ）図３（ａ）のＤ−Ｄ断面図
【図４】（ａ）本発明の実施の形態２における送風機の側面図、（ｂ）図４（ａ）のＥ−Ｅ断面図、（ｃ）図４（ａ）のＦ−Ｆ断面図、（ｄ）図４（ａ）のＧ−Ｇ断面図、（ｅ）図４（ａ）のＨ−Ｈ断面図
【図５】（ａ）本発明の実施の形態３における送風機の側面図、（ｂ）図５（ａ）のＩ−Ｉ断面図、（ｃ）図５（ａ）のＪ−Ｊ断面図、（ｄ）図５（ａ）のＫ−Ｋ断面図、（ｅ）図５（ａ）のＬ−Ｌ断面図
【図６】従来の送風機の斜視図
【図７】同送風機の要部断面図
【符号の説明】
【００２８】
１  送風ファン
２  ケーシング
２ａ  吸込口
２ｂ  吐出口
２ｃ  巻き始めノーズ部
２ｄ  傾斜部
【図１】
2006152936.tif 000003
【図２】
2006152936.tif 000004
【図３】
2006152936.tif 000005
【図４】
2006152936.tif 000006
【図５】
2006152936.tif 000007
【図６】
2006152936.tif 000008
【図７】
2006152936.tif 000009